(57)【要約】【課題】  一般家屋の床材を載せる大引きを支持する鋼製束を、高精度で、又、容易に伸長することが可能な鋼製束の伸長方法及び伸長装置を提供する。【解決手段】  ベース部Ｂに固定された第１ねじ部Ｃと、大引き支柱部Ｅに固定された第２ねじ部Ｆと、前記第１ねじ部Ｃと第２ねじ部Ｆを両端で異なる回転方向に螺合支持する支柱部Ｄとを備えた鋼製束Ａの伸長方法において、前記ベース部Ｂの第１ねじ部Ｃ側を載置台１上に横方向に載置してベース部Ｂ及び大引き支柱部Ｅを不回動状態としてから前記支柱部Ｅに滑り止めの機能を有する紐６を下方から巻回して、この紐６の両端を上方へ付勢しつつ何れか一方の端を上方へ他方を下方へ移動させることにより前記支柱部Ｄのみを回転させて、支柱部Ｄの両端で螺合している第１ねじ部Ｃと第２ねじ部Ｆを支柱部Ｄの両端からそれぞれ伸長させてこれら伸長分を合算した距離を大引き支柱部Ｅ方向へ大引き支柱部Ｅがストッパー３に当接して移動できなくなるまで伸長させるところにある。【選択図】      図４ 
2005194694.tif 000002
【特許請求の範囲】
【請求項１】
ベース部に固定された第１ねじ部と、大引き支持部に固定された第２ねじ部と、前記第１ねじ部と第２ねじ部を両端で異なる回転方向に螺合支持する支柱部とを備えた鋼製束の伸長方法において、
前記ベース部の第１ねじ部側を載置台上に横方向に載置してベース部及び大引き支持部を不回動状態としてから前記支持部に滑り止めの機能を有する紐を下方から巻回して、この紐の両端を上方へ付勢しつついずれか一方の端を上方へ他方を下方へ移動させることにより前記支柱部のみを回転させて、支柱部の両端で螺合している第１ねじ部と第２ねじ部を支柱部の両端からそれぞれ伸長させてこれら伸長分を合算した距離を大引き支持部方向へ大引き支持部がストッパーに当接して移動できなくなるまで伸長させることを特徴とする鋼製束の伸長方法。
【請求項２】
ベース部に固定された第１ねじ部と、大引き支持部に固定された第２ねじ部と、前記第１ねじ部と第２ねじ部を両端で異なる回転方向に螺合支持する支柱部とを備えた鋼製束の伸長装置において、
前記ベース部に固定された第１ねじ部側を載置する載置台と、この載置台と隣接して設置されてベース部の回転を阻止する阻止台と、前記載置台から所定距離をあけて設けられた前記大引き支持部のベース部と反対側への所定距離以上の移動を阻止するストッパーと、これら載置台、阻止台及びストッパーを所定位置で固定し且つ前記大引き支持部の回転を阻止する台座とからなる伸長台と、前記支持部に下方から巻回して回転力を伝達する滑り止め機能を具備する紐とを具備した鋼製束の伸長装置。
【請求項３】
前記載置台とストッパーの間隔距離が可変であることを特徴とする請求項２の鋼製束の伸長装置。
【発明の詳細な説明】
【技術分野】
【０００１】
この発明は、一般家屋の床材を載せる大引きを支持する鋼製束の伸長方法及び伸長装置に関する。
【背景技術】
【０００２】
周知のように、一般家屋の床材を載せる大引きを地盤上から所定距離をあけて支持するためには鋼製束が使用されている（例えば、特許文献１）。
この鋼製束Ａは、図１、図２及び図８に示すように、地盤上に構築されている土間などの土台Ｈ上方に載置されて固定されるベース部Ｂと、このベース部Ｂから立脚した支柱部Ｄと、この支柱部Ｄに支えられた大引き支持部Ｅからなる。ベース部Ｂには第１ねじ部Ｃが突出してこれに外周が角柱状の支持部Ｄの下方のねじ穴に螺合固着している。又、大引き支持部Ｅは、大引きＧを嵌め込み固定する断面コの字型を有しており、その下底から突出した第２ねじ部Ｆが支持部Ｄの上方のねじ穴に螺合固着している。そして、第１ねじ部Ｃと第２ねじ部Ｆはねじれ方向が逆となるように形成されているので、支柱部Ｄを例えば右に回転させると鋼製束Ａが収縮して背が低くなり、左に回転させると伸長して背が高くなる構成となっている。
【０００３】
この鋼製束Ａの工場からの出荷時には所定数量をまとめて荷詰されるために、出来るだけ嵩張らないように背を低くして収縮した状態にしている。しかし、建築現場においては、これをそのまま使用できないので、収縮されて送られてきた鋼製束Ａを建築している家屋の床高さに合わせるように伸長させて所定長さＬに統一する作業を行っている。
【０００４】
このような鋼製束Ａを所定長さに統一する作業は、鋼製束Ａの支柱部Ｄを素手で回転させて所定長さまで伸長させたり、あるいは、支柱部Ｄが硬くて素手で回転させることができない場合にはスパナやモンキーなどの工具を使用して間接的ではあるがやはり人手で所定長さまで伸長させている。
【特許文献１】特開２００２−１２１８８３号公報
【発明の開示】
【発明が解決しようとする課題】
【０００５】
しかしながら、鋼製束Ａの数量は通常の一軒家の建築でも百個前後にもなるために、これを人手で処理するには多くの労力を要している。そして、その伸長量が大きい場合には支柱部Ｄの回転量が多くなり、更なる手数を要している。加えて、これら人手によって伸長させる場合には、伸長量を目分量で計っていたためにバラツキが生じるという問題点がある。又、これを解消するために伸長量をその都度メジャーで計測すると非能率で更に手数を要するという問題点がある。
【課題を解決するための手段】
【０００６】
この発明は上記事情に鑑みてなされたものであって、その手段とするところは、請求項１の発明においては、ベース部に固定された第１ねじ部と、大引き支持部に固定された第２ねじ部と、前記第１ねじ部と第２ねじ部を両端で異なる回転方向に螺合支持する支柱部とを備えた鋼製束の伸長方法において、前記ベース部の第１ねじ部側を載置台上に横方向に載置してベース部及び大引き支持部を不回動状態としてから前記支持部に滑り止めの機能を有する紐を下方から巻回して、この紐の両端を上方へ付勢しつついずれか一方の端を上方へ他方を下方へ移動させることにより前記支柱部のみを回転させて、支柱部の両端で螺合している第１ねじ部と第２ねじ部を支柱部の両端からそれぞれ伸長させてこれら伸長分を合算した距離を大引き支持部方向へ大引き支持部がストッパーに当接して移動できなくなるまで伸長させるところにある。
【０００７】
請求項２の発明は、ベース部に固定された第１ねじ部と、大引き支持部に固定された第２ねじ部と、前記第１ねじ部と第２ねじ部を両端で異なる回転方向に螺合支持する支柱部とを備えた鋼製束の伸長装置において、前記ベース部に固定された第１ねじ部側を載置する載置台と、この載置台と隣接して設置されてベース部の回転を阻止する阻止台と、前記載置台から所定距離をあけて設けられた前記大引き支持部のベース部と反対側への所定距離以上の移動を阻止するストッパーと、これら載置台、阻止台及びストッパーを所定位置で固定し且つ前記大引き支持部の回転を阻止する台座とからなる伸長台と、前記支持部に下方から巻回して回転力を伝達する滑り止め機能を具備する紐とを具備したところにある。
【０００８】
請求項３の発明は、前記載置台とストッパーの間隔距離が可変であるところにある。
【発明の効果】
【０００９】
この発明によると、鋼製束のベース部の第１ねじ部側を載置台に横向きに置いて、作業者の足で鋼製束のベース部や支柱部の根元を押えて不動としてから、支柱部の下から紐を巻回して両端を上方へ引張りつつ一方の端を強く引き上げるようにして支柱部を回転させるだけでよい。これによって、ベース部は阻止台によって回転を阻止され、大引き支持部は台座に当接して回転を阻止されたままの状態で台座にガイドされつつストッパーに当接するまで伸長する。鋼製束の伸長は第１ねじ部、第２ねじ部と支柱部の螺合が弛むことによって支柱部の両側からそれぞれ伸長するが、ベース部側が載置台に不動状態となっているので、両方の伸長分の距離を合算した長さがストッパー方向へ伸びることとなる。従って、極めて簡単に鋼製束を所定の長さだけ伸長できる。
【００１０】
又、載置台とストッパーの間隔距離が可変とした場合には、鋼製束の伸長長さが異っても、ストッパーの台座への取付位置を変えることによって、自在に適応でき汎用性を具備する利点が生ずる。
【発明を実施するための最良の形態】
【００１１】
この発明の実施の形態について以下図１乃至８に基づいて説明する。この鋼製束の伸長装置は、図３乃至図５に示すように、鋼製束Ａのベース部Ｂの第１ねじ部Ｃ側を載置する載置台１と、この載置台１と隣接して設置されてベース部Ｂの回転を阻止する阻止台２と、前記載置台１から所定距離をあけて設けたストッパー３と、これら載置台１、阻止台２及びストッパー３を所定位置でその上面に固定する台座４とからなる伸長台５及び滑り止め機能を有する紐６を主な構成とする。
【００１２】
前記載置台１は、鋼製束Ａのベース部Ｂに固定された第１ねじ部Ｃ側を載置するものである。この第１ねじ部Ｃは支柱部Ｄの端部に螺着されているので、その螺合度合によって短くなっている場合には支柱部Ｄの端部をも載置してもよい。載置台１の幅は第１ねじ部Ｃよりも幾分長くても差し障りはない。又、高さ方向は鋼製束Ａの大引き支持部Ｅの幅の約半分程度として、第１ねじ部Ｃ側を載置して足で押え込んだときに、台座４に密着若しくは近接して回転しないようにしておければよい。
【００１３】
阻止台２は、載置台１に上述のように鋼製束Ａを載せた時に、ベース部Ｂが載置されて支柱部Ｄと共に回転しないように阻止するためのものであるが、ベース部Ｂの上方を第１ねじ部Ｃと共に足で押え込んだ際にこの阻止台２に当接して鋼製束Ａのガタつきを防止する役割をも果している。
【００１４】
ストッパー３は、載置台１から所定距離をあけた位置の台座４上に設けられており、支柱部Ｄを回転させることによって伸長した大引き支持部Ｅの行先を阻止し、又、鋼製束Ａが所望の長さにまで伸長したことを作業者に視覚等によって知らしめる役割を有するものである。大引き支持部Ｅは、回転しないように下方へ付勢されながら台座４上を直線方向へ摺動して伸長するので、横方向に外れることはほとんど生じないが、万一、横方向へずれても台座４から落下させないように両側でガイドできるように平面視でコの字形状をなしている。又、建築している家屋の種類によって、鋼製Ａの背の高さが異なる場合も生じ得るので、図６、図７の斜線で示すように、ストッパー３及び台座４をコの字型の係止具７で挟んでボルト８で締め付け自在に構成すれば、ストッパー３を鋼製束Ａの長手方向に移動させ固定することができるので、適用範囲が拡大し汎用性が生ずる。
【００１５】
台座４は、上記の載置台１、阻止台２及びストッパー３を所定の順序間隔で固定し、且つ、大引き支持部Ｅの回転を阻止しつつストッパー３方向へガイドするものである。
【００１６】
紐６は、支柱部Ｄに下方から巻回してその両端を力の強弱をつけて上方へ引張ることによって支柱部Ｄと摩擦を生じさしめて支柱部Ｄを回転させる役目を有するもので、図３、図５に示すように、手で持ち易いように両端に手把輪９を設けることが望ましい。材質としては、引張り強く、柔軟性を有し且つ摩擦係数の大きいゴム等が適している。
【００１７】
以上の構成からなるこの発明の鋼製束の伸長装置によって鋼製束を伸長させる手順について説明する。
鋼製束Ａが建築現場へ、図１に示すように、第１ねじ部Ｃ及び第２ねじ部Ｆが支柱部Ｄに収納された背の低い状態で搬送されてくると、１個ずつこの伸長装置で、図２に示すように、所定の背の高さＬまで伸長する際に使用する。まず鋼製束Ａを手で持って載置台１の上方へ第１ねじ部Ｃ側が載るように、又、ベース部Ｂが阻止台２上に位置するように載置する。このとき、支柱部Ｄの端部が同時に載っても、作業者の足でベース部Ｂの上方を強く押え支持部Ｄを強く踏まないようにすれば差し障りは生じない。このようにして、鋼製束Ａを載置台１に足で踏んで固定してから、支柱部Ｄの下方を通して紐６の両端にある手把輪９を手で片方ずつ持ち、上方へ力の差をつけて引き上げると、支柱部Ｄが紐６との摩擦力によって回転する。しかし、ベース部Ｂは阻止台２によって、又大引き支持部Ｅは台座４上へ足の力によって押えられているので回転しない。従って、支柱部Ｄの両端から第１ねじ部Ｃ及び第２ねじ部Ｆがそれぞれ突出して伸長する。しかし、ベース部Ｂ及び第１ねじ部Ｃ側は足で押え付けられているので、ベース部Ｂ方向へは伸長しなく、伸長した双方の距離が合算されて大引き支持部Ｅ方向へ移動する。このとき、大引き支持部Ｅは台座４の上面を直線方向にストッパー３に当接するまで摺動する。万一、方向ずれを生じてもストッパー３がコの字型を形成しているために、中央にガイドされてストッパー３へ当接するようにしている。この当接は視覚でも確認できるし、又、紐６にかかる力が大きくなることによっても感知できる。
【００１８】
このようにして所定の長さＬに伸長した鋼製束Ａを台座４から取り出せば伸長作業は終了する。以降、同じ作業の繰り返しで必要個数の鋼製束Ａを伸長させる。
１つの建築現場における鋼製束Ａの長さはほとんど変わりはないが、他の建築現場で長さの異なる鋼製束Ａを得たい時は、前述したように、係止具７のボルト８をゆるめてストッパ−３を台座４の長手方向へ自在に移動し固定するだけでよい。
【００１９】
長さが整った鋼製束Ａは、図８に示すように、まず大引きＧの上から大引き支持部Ｅを逆にして所定間隔で嵌め込んでから大引きＧと鋼製束Ａを同時に逆転させて、ベース部Ｂをあらかじめ設置されている土間等の確固な土台Ｈの上に接着剤を介して載置固定する。必要ならばベース部Ｂと土台Ｈを釘打ちしてより確固に固定する。
【００２０】
以上の説明からも明らかなように、この発明の鋼製束Ａの伸長方法及び伸長装置によると、工場等から背の低い状態で建築現場へ搬送されてきた鋼製束Ａを、簡単に所定の長さＬまで伸長することができるので、従来のように１個ずつ手作業で、鋼製束Ａの支柱部Ｄを回転させるのと較べて、作業能率が向上し、しかも作業者の負担が少なく楽に伸長できる。更に、均一した長さに伸長できる。又、長さの異なる鋼製束Ａを得る場合でも、ストッパー３を移動することにより、簡単に対応することができる。
【産業上の利用可能性】
【００２１】
鋼製束を用いるあらゆる建築現場において利用することができる。
【図面の簡単な説明】
【００２２】
【図１】伸長前の鋼製束の正面図
【図２】伸長後の鋼製束の正面図
【図３】伸長装置全体の斜視図
【図４】伸長台に鋼製束を載せた斜視説明図
【図５】伸長作業状態説明図
【図６】他の実施例の正面説明図
【図７】図６の側面図
【図８】大引きの鋼製束による設置説明図
【符号の説明】
【００２３】
１  載置台
２  阻止台
３  ストッパー
４  台座
６  紐
７  係止具
８  ボルト
Ａ  鋼製束
Ｂ  ベース部
Ｃ  第１ねじ部
Ｄ  支柱部
Ｅ  大引き支柱部
Ｆ  第２ねじ部
【図１】
2005194694.tif 000003
【図２】
2005194694.tif 000004
【図３】
2005194694.tif 000005
【図４】
2005194694.tif 000006
【図５】
2005194694.tif 000007
【図６】
2005194694.tif 000008
【図７】
2005194694.tif 000009
【図８】
2005194694.tif 000010